(57)【要約】      （修正有）【課題】導光板上をカットして各光反射部を形成することにより、製造が容易な上に平坦で変形しにくいため、収率が向上し、輝度が均一となる上に組立てが簡易な導光板の構造を提供する。【解決手段】導光板の構造は、透光材料からなる導光板１１と、導光板１１の少なくとも１つの面上を凹部にカットした光反射部１２とを備える。導光板上をカットして各光反射部を形成することにより、製造が容易な上に平坦で変形しにくいため、収率が向上し、輝度が均一で組立てが簡易となる。【選択図】図３
0003154854.tif 000002
【実用新案登録請求の範囲】
【請求項１】
透光材料からなる導光板と、
前記導光板の少なくとも１つの面上を凹部にカットした光反射部と、を備えることを特徴とする導光板の構造。
【請求項２】
前記光反射部は、その横断面がＶ字形状または略Ｕ字形状からなる凹部であることを特徴とする請求項１に記載の導光板の構造。
【請求項３】
前記光反射部は、同じ間隔または異なる間隔で設けられることを特徴とする請求項１に記載の導光板の構造。
【請求項４】
前記光反射部は、同じ階調度または異なる階調度を有することを特徴とする請求項１に記載の導光板の構造。
【請求項５】
前記光反射部は、縦向き、横向きまたは幾何学形状にそれぞれ設けられることを特徴とする請求項１に記載の導光板の構造。
【請求項６】
前記光反射部は、一方の面上または両面上にそれぞれ設けられることを特徴とする請求項１に記載の導光板の構造。
【請求項７】
前記光反射部は、同じ階調度または異なる階調度を有する複数の凹状領域を有することを特徴とする請求項１に記載の導光板の構造。
【考案の詳細な説明】
【技術分野】
【０００１】
本考案は、導光板の構造に関し、特に、導光板上をカットして各光反射部を形成することにより、製造が容易な上に平坦で変形しにくいため、収率が向上し、輝度が均一で組立てが簡易な導光板の構造に関する。
【背景技術】
【０００２】
図１に示すように、従来の導光板構造は、導光板４１と、導光板４１上に設けられた複数の光反射領域４２とから構成される。光反射領域４２は、熱圧着、射出成形により導光板４１上に形成される。これにより、発光ユニットから放射された光線は、導光板４１の側縁から入射した後に各光反射領域４２により屈折される。これにより光の導光を行う。
【０００３】
従来の導光板４１は、光反射領域４２を用いて光線を屈折させ、光の導光を行っていた。しかし、光反射領域４２が熱圧着または射出成形により導光板４１上に形成されるため、光反射領域４２とその周縁に応力が集中し、導光板４１に変形または反りが生じ（図２に示す）、導光板４１を平坦化させることが困難となることがあった。そのため、導光板４１の変形により組立または位置決めが困難となったり、光線の屈折に誤差が生じて導光板の輝度が不均一となる虞があった。
【考案の概要】
【考案が解決しようとする課題】
【０００４】
本考案の目的は、導光板上をカットして各光反射部を形成させることにより、製造が容易な上に平坦で変形しにくいため、収率が向上し、輝度が均一で組立てが簡易な導光板の構造を提供することにある。
【課題を解決するための手段】
【０００５】
上記課題を解決するために、本考案の第１の形態によれば、透光材料からなる導光板と、前記導光板の少なくとも１つの面上を凹部にカットした光反射部と、を備えることを特徴とする導光板の構造が提供される。
【０００６】
また、前記光反射部は、その横断面がＶ字形状または略Ｕ字形状からなる凹部であることが好ましい。
【０００７】
また、前記光反射部は、同じ間隔または異なる間隔で設けられることが好ましい。
【０００８】
また、前記光反射部は、同じ階調度または異なる階調度を有することが好ましい。
【０００９】
また、前記光反射部は、縦向き、横向きまたは幾何学形状にそれぞれ設けられることが好ましい。
【００１０】
また、前記光反射部は、一方の面上または両面上にそれぞれ設けられることが好ましい。
【００１１】
また、前記光反射部は、同じ階調度または異なる階調度を有する複数の凹状領域を有することが好ましい。
【考案の効果】
【００１２】
本考案の導光板の構造は、導光板上をカットして各光反射部を形成することにより、製造が容易な上に平坦で変形しにくいため、収率が向上し、輝度が均一で組立てが簡易となる。
【図面の簡単な説明】
【００１３】
【図１】従来の導光板の構造を示す斜視図である。
【図２】従来の導光板の構造を示す断面図である。
【図３】本考案の第１実施形態による導光板の構造を示す断面図である。
【図４】本考案の第１実施形態による導光板の構造を使用するときの状態を示す断面図である。
【図５】本考案の第１実施形態による導光板の構造を使用するときの状態を示す上面図である。
【図６】本考案の第２実施形態による導光板の構造を示す断面図である。
【図７】本考案の第２実施形態による導光板の構造を使用するときの状態を示す断面図である。
【図８】本考案の第２実施形態による導光板の構造を使用するときの状態を示す上面図である。
【図９】本考案の第３実施形態による導光板の構造を使用するときの状態を示す断面図である。
【図１０】本考案の第３実施形態による導光板の構造を使用するときの状態を示す断面図である。
【図１１】本考案の第３実施形態による導光板の構造を使用するときの状態を示す上面図である。
【図１２】本考案の第４実施形態による導光板の構造を使用するときの状態を示す断面図である。
【図１３】本考案の第５実施形態による導光板の構造を使用するときの状態を示す断面図である。
【図１４】本考案の第６実施形態による導光板の構造を使用するときの状態を示す断面図である。
【図１５】本考案の第７実施形態による導光板の構造を使用するときの状態を示す上面図である。
【図１６】図１５の線Ａ−Ａに沿った断面図である。
【図１７】図１５の線Ｂ−Ｂに沿った断面図である。
【考案を実施するための形態】
【００１４】
以下、本考案の実施形態について図に基づいて説明する。なお、これによって本考案が限定されるものではない。
【００１５】
（第１実施形態）
図３〜図５を参照する。図３〜図５に示すように、本考案の一実施形態による導光板の構造は、導光板１１および複数の光反射部１２を含む。導光板１１は透光材料からなる。
【００１６】
各光反射部１２は、カッター装置２０のカッター２１により、導光板１１の一面上がカットされ、その横断面がＶ字形状または略Ｕ字形状からなる凹部に形成されている（第１実施形態では、その横断面がＶ字形状からなる凹部に形成されている。）。この導光板１１は、製造が容易な上に、平坦で変形しにくいため、収率を向上させることができる。各光反射部１２は、間隔が異なったり、階調度が同じであったり、縦向き、横向きまたは幾何学形状に設けてもよい。
【００１７】
本考案の導光板は、押しボタン、キーボード、バックライトモジュール、パネル、タッチパネル、液晶スクリーンなどの電子機器へ利用することができる。実際には、導光板１１は、少なくとも１つの側縁を発光ユニット３０に位置合わせされるように配置させることにより、発光ユニット３０から放射された光線を導光板１１の側縁から入射させ、各光反射部１２により光線を屈折させて導光板１１から放射させる。導光板１１は平坦な状態であるため、所望の電子製品上へ位置合わせを正確に行うことができる上、光線が各光反射部１２により屈折させるときに輝度を均一にさせることができる。当然、発光ユニット３０は、導光板１１の少なくとも１つの側縁に配置させる以外、実際の必要に応じて導光板１１の上方、下方、左側、右側、前端、後端、中央箇所などへ配置させてもよい。
【００１８】
（第２実施形態）
図６〜図８を参照する。図６〜図８に示すように、第２実施形態の導光板１１は、第１実施形態の構造と異なり、光線に必要な屈折ルートに応じて各光反射部１２ａを等しい間隔で設け、各光反射部１２ａが有する階調度を異なるようにしてもよい。これにより、上述の効果を得ることができるとともに、発光ユニット３０から放射された光線が導光板１１に入射し、異なる屈折効果を得ることができる。
【００１９】
（第３実施形態）
図９〜図１１を参照する。図９〜図１１に示すように、第３実施形態の導光板１１は、第１実施形態および第２実施形態の構造と異なり、光線に必要な屈折ルートに応じて各光反射部１２ｂを異なる間隔で設け、光反射部１２ｂが有する階調度を異なるようにしてもよい。これにより、上述の効果を同様に得ることができるとともに、発光ユニット３０から放射された光線が導光板１１に入射し、実際の必要に応じた様々な屈折効果を得ることができる。
【００２０】
（第４実施形態〜第６実施形態）
図１２〜図１４を参照する。図１２〜図１４に示すように、第４実施形態〜第６実施形態の導光板１１は、第１実施形態〜第３実施形態と異なり、導光板１１ａの両面上に複数の光反射部１２を異なる間隔で設け、光反射部１２の階調度を同じになるようにしたり（図１２に示す）、導光板１１ｂの両面上に複数の光反射部１２ａを同じ間隔で設け、光反射部１２ａの階調度を異なるようにしたり（図１３に示す）、導光板１１ｃの両面上に複数の光反射部１２ｂを異なる間隔で設け、光反射部１２ｂの階調度を異なるようにしたり（図１４に示す）することができる上、実際の必要に応じて異なる物品を使用したり異なる屈折効果を得たりすることができる。
【００２１】
（第７実施形態）
図１５〜図１７を参照する。図１５〜図１７に示すように、本考案の第７実施形態による導光板１１ｄは、第１実施形態〜第６実施形態と異なり、その上に設けられた各光反射部１２ｃ中に、同じまたは異なる階調度を有する複数の凹状領域１２１ｃが設けられている。そのため、発光ユニット３０から放射された光線が導光板１１ｄに入射されると、各光反射部１２ｃ中の凹状領域１２１ｃにより、実際の必要に応じて光線の屈折を変化させ、様々な屈折効果を得ることができる。
【００２２】
本考案の導光板の構造は、導光板上をカットして各光反射部を形成するため、製造が容易で、平坦で変形しにくいため、収率を向上させることができる。さらに、この導光板を使用すると、輝度が均一となる上に組立てが簡易となる。
【００２３】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２４】
１１  導光板
１１ａ  導光板
１１ｂ  導光板
１１ｃ  導光板
１１ｄ  導光板
１２  光反射部
１２ａ  光反射部
１２ｂ  光反射部
１２ｃ  光反射部
２０  カッター装置
２１  カッター
３０  発光ユニット
４１  導光板
４２  光反射領域
１２１ｃ  凹状領域
【図１】
0003154854.tif 000003
【図２】
0003154854.tif 000004
【図３】
0003154854.tif 000005
【図４】
0003154854.tif 000006
【図５】
0003154854.tif 000007
【図６】
0003154854.tif 000008
【図７】
0003154854.tif 000009
【図８】
0003154854.tif 000010
【図９】
0003154854.tif 000011
【図１０】
0003154854.tif 000012
【図１１】
0003154854.tif 000013
【図１２】
0003154854.tif 000014
【図１３】
0003154854.tif 000015
【図１４】
0003154854.tif 000016
【図１５】
0003154854.tif 000017
【図１６】
0003154854.tif 000018
【図１７】
0003154854.tif 000019